【手続補正書】
【提出日】令和1年10月4日(2019.10.4)
【手続補正１】
【補正対象書類名】特許請求の範囲
【補正対象項目名】全文
【補正方法】変更
【補正の内容】
【特許請求の範囲】
【請求項１】
遊技の進行を制御する主制御手段と、
演出の実行を制御する副制御手段と、
ｎ個のリールと、
ｎ個のストップボタンと、
操作態様報知手段と、
画像表示手段と、を有し、
前記主制御手段は、
所定の状況において、所定役に当選した遊技では、ストップボタンの操作態様に関する所定情報を前記操作態様報知手段に表示可能とし、
前記所定役に当選した遊技であって、ストップボタンの操作態様に関する所定情報を前記操作態様報知手段に表示している状況において、ｎ個目のリールの回転を停止するためのストップボタンの操作の受付によりｎ個目のリールの回転が停止し、所定の図柄組合せが停止表示された後であっても、ｎ個目のリールの回転を停止するためのストップボタンの操作の受付から当該ストップボタンの操作が継続している場合には、ストップボタンの操作態様に関する所定情報を前記操作態様報知手段に表示可能とし、
前記副制御手段は、
所定の状況において、前記所定役に当選した遊技では、ストップボタンの操作態様に関する特定情報を前記画像表示手段に表示可能とし、
所定の条件を満たした場合には、リールの回転を停止させることを促す情報を前記画像表示手段に表示可能とし、
前記所定役に当選した遊技であって、ストップボタンの操作態様に関する特定情報を前記画像表示手段に表示している状況において、リールの回転を停止させることを促す情報を前記画像表示手段に表示する場合には、ストップボタンの操作態様に関する特定情報の少なくとも一部に、リールの回転を停止させることを促す情報を重ねて表示可能とし、
ストップボタンの操作態様に関する特定情報の少なくとも一部に、リールの回転を停止させることを促す情報を重ねて表示している状況において、第１の条件を満たした場合には、特定のエラー情報を前記画像表示手段に表示可能とし、その後、第２の条件を満たした場合には、特定のエラー情報の表示を終了し、ストップボタンの操作態様に関する特定情報の少なくとも一部に、リールの回転を停止させることを促す情報を重ねて表示可能とし、
前記所定役に当選した遊技であって、ストップボタンの操作態様に関する特定情報を前記画像表示手段に表示している状況において、リールの回転を停止させることを促す情報を前記画像表示手段に表示する場合には、リールの回転を停止させることを促す情報を、前記画像表示手段の所定の位置、かつ、所定の大きさで表示可能とし、
ストップボタンの操作態様に関する特定情報を前記画像表示手段に表示していない特定の状況において、リールの回転を停止させることを促す情報を前記画像表示手段に表示する場合にも、リールの回転を停止させることを促す情報を、前記画像表示手段の前記所定の位置、かつ、前記所定の大きさで表示可能とする
ことを特徴とする遊技機。
【手続補正２】
【補正対象書類名】明細書
【補正対象項目名】０００６
【補正方法】変更
【補正の内容】
【０００６】
前記課題を解決するために、本発明に係る遊技機は、遊技の進行を制御する主制御手段と、演出の実行を制御する副制御手段と、ｎ個のリールと、ｎ個のストップボタンと、操作態様報知手段と、画像表示手段と、を有し、前記主制御手段は、所定の状況において、所定役に当選した遊技では、ストップボタンの操作態様に関する所定情報を前記操作態様報知手段に表示可能とし、前記所定役に当選した遊技であって、ストップボタンの操作態様に関する所定情報を前記操作態様報知手段に表示している状況において、ｎ個目のリールの回転を停止するためのストップボタンの操作の受付によりｎ個目のリールの回転が停止し、所定の図柄組合せが停止表示された後であっても、ｎ個目のリールの回転を停止するためのストップボタンの操作の受付から当該ストップボタンの操作が継続している場合には、ストップボタンの操作態様に関する所定情報を前記操作態様報知手段に表示可能とし、前記副制御手段は、所定の状況において、前記所定役に当選した遊技では、ストップボタンの操作態様に関する特定情報を前記画像表示手段に表示可能とし、所定の条件を満たした場合には、リールの回転を停止させることを促す情報を前記画像表示手段に表示可能とし、前記所定役に当選した遊技であって、ストップボタンの操作態様に関する特定情報を前記画像表示手段に表示している状況において、リールの回転を停止させることを促す情報を前記画像表示手段に表示する場合には、ストップボタンの操作態様に関する特定情報の少なくとも一部に、リールの回転を停止させることを促す情報を重ねて表示可能とし、ストップボタンの操作態様に関する特定情報の少なくとも一部に、リールの回転を停止させることを促す情報を重ねて表示している状況において、第１の条件を満たした場合には、特定のエラー情報を前記画像表示手段に表示可能とし、その後、第２の条件を満たした場合には、特定のエラー情報の表示を終了し、ストップボタンの操作態様に関する特定情報の少なくとも一部に、リールの回転を停止させることを促す情報を重ねて表示可能とし、前記所定役に当選した遊技であって、ストップボタンの操作態様に関する特定情報を前記画像表示手段に表示している状況において、リールの回転を停止させることを促す情報を前記画像表示手段に表示する場合には、リールの回転を停止させることを促す情報を、前記画像表示手段の所定の位置、かつ、所定の大きさで表示可能とし、ストップボタンの操作態様に関する特定情報を前記画像表示手段に表示していない特定の状況において、リールの回転を停止させることを促す情報を前記画像表示手段に表示する場合にも、リールの回転を停止させることを促す情報を、前記画像表示手段の前記所定の位置、かつ、前記所定の大きさで表示可能とすることを特徴とする。
【手続補正３】
【補正対象書類名】明細書
【補正対象項目名】０００７
【補正方法】変更
【補正の内容】
【０００７】
また、本発明に係る遊技機の変形例は、遊技の進行を制御する主制御手段と、演出の実行を制御する副制御手段と、図柄が付された複数のリールと、複数のストップボタンと、操作順序報知手段と、画像表示手段と、を有し、前記主制御手段は、所定の状況下において、前記ストップボタンを所定の操作順序で操作することにより所定の図柄の組み合わせが停止表示される所定役に当選したときに、所定の操作順序に関する情報を前記操作順序報知手段に表示し、前記副制御手段は、所定の状況下において、前記所定役に当選したときに、所定の操作順序に関する情報を前記画像表示手段に表示し、所定の条件を満たしたときに、前記リールの回転を停止させることを促す情報を前記画像表示手段に表示し、所定の操作順序に関する情報を前記画像表示手段に表示している状況下において、前記リールの回転を停止させることを促す情報を表示するときは、所定の操作順序に関する情報の少なくとも一部に、前記リールの回転を停止させることを促す情報を重ねて表示し、前記リールの回転を停止させることを促す情報は、表示・非表示を繰り返すように構成することができる。
また、本発明に係る遊技機の変形例において、前記副制御手段は、前記リールの回転を停止させることを促す情報を前記画像表示手段に表示しているときに、前記ストップボタンを操作することとは異なる特定の条件を満たすと、前記リールの回転を停止させることを促す情報を非表示とすることが好ましい。